(57)【要約】      （修正有）【課題】リターンローラの交換が容易になるベルトコンベヤを提供する。【解決手段】ベルトコンベヤＡに於けるリターン側ベルトａの下側前後所定間隔位置にガイドレール２を配置すると共に、このそれぞれのガイドレールの一端をコンベヤフレーム３に支承手段Ｂを介し前記ガイドレールが上記ベルトの長手方向に揺動するよう支承し、上記ガイドレールの末端から先端に抜き差し自在に嵌装する筒状のスライダ９の先端及び末端部から上方に突出するスタンド１０を設けて、このスタンドにリターンローラ１１の支軸の両端を着脱自在に保持し、また上記コンベヤフレームの他側に垂設したアーム２０の下端部で、上記ベルトの長手方向一側から他側に向け上記スライダの末端部を嵌め込んで支持する保持切欠きを設け、上記スライダの嵌入終了にともなう上記スタンドの起立維持のためのストッパ手段１６を設け、スライダの脱出を阻止するロック手段Ｃを設けた。【選択図】図１
2015147639.tif 000002
【特許請求の範囲】
【請求項１】
ベルトコンベヤに於けるリターン側ベルトの下側前後所定間隔位置にガイドレールを配置すると共に、このそれぞれのガイドレールの一端をコンベヤフレームに支承手段を介し前記ガイドレールが上記ベルトの長手方向に揺動するよう支承し、上記ガイドレールの末端から先端に抜き差し自在に嵌装する筒状のスライダの先端及び末端部から上方に突出するスタンドを設けて、このスタンドにリターンローラの支軸の両端を着脱自在に保持し、また上記コンベヤフレームの他側に垂設したアームの下端部で、上記ベルトの長手方向一側から他側に向け上記スライダの末端部を嵌め込んで支持する保持切欠きを設け、さらに上記アームの上記切欠きに上記スライダの嵌入終了にともなう上記スタンドの起立維持のためのストッパ手段を設け、また上記切欠きからスライダの脱出を阻止し、かつ人手により前記阻止を解除することができるようなロック手段を上記アームに設けたことを特徴とするベルトコンベヤのリターンローラ。
【発明の詳細な説明】
【技術分野】
【０００１】
この発明は、ベルトコンベヤにおけるリターンローラに関する。
【背景技術】
【０００２】
ベルトコンベヤは、周知のように、ヘッドプーリとテールプーリとに無端状のベルトをかけ渡し、ベルトのキャリヤ側裏面は、キャリヤローラで支承され、ベルトのリターン側表面は、リターンローラで支承されている。
【０００３】
このリターンローラは、スムーズな回転を阻害する故障の発生にともないその都度取り替えを行うことになる。
【０００４】
そこで、容易に取り替えができるようにした方式として、特許文献１に記載の技術がある。
【先行技術文献】
【特許文献】
【０００５】
【特許文献１】特開２０１３−５２９８７号公報
【発明の概要】
【発明が解決しようとする課題】
【０００６】
ところで、特許文献１の方式によると、アングル材を用いたガイドレールの上にアングル材を用いたリターンローラの支持リターンスタンド付スライダを重ねながらスライドさせて抜き差しする（交換に際し）ので、スライダは、ベルトの長手方向に抜き差しのためスライドさせることになる。
【０００７】
すると、リターンローラの周面軸線方向の全長がベルトの表面幅方向の全面に常に接触した（ベルトの重量がリターンローラの周面に作用する）状態でスライダをスライドさせるため、摩擦抵抗が大きくて、スムーズなスライドができず、大変な労力を要する問題があった。
【０００８】
特にスライダの差し込みに際し、レールに対しスライダの重なりを維持しつつ差し込まなければならない。
【０００９】
そこで、この発明は、リターンローラの交換が容易にできるベルトコンベヤのリターンローラを提供することにある。
【課題を解決するための手段】
【００１０】
上記の課題を解決するために、この発明は、ベルトコンベヤに於けるリターン側ベルトの下側前後所定間隔位置にガイドレールを配置すると共に、このそれぞれのガイドレールの一端をコンベヤフレームに支承手段を介し前記ガイドレールが上記ベルトの長手方向に揺動するよう支承し、上記ガイドレールの末端から先端に抜き差し自在に嵌装する筒状のスライダの先端及び末端部から上方に突出するスタンドを設けて、このスタンドにリターンローラの支軸の両端を着脱自在に保持し、また上記コンベヤフレームの他側に垂設したアームの下端部で、上記ベルトの長手方向一側から他側に向け上記スライダの末端部を嵌め込んで支持する保持切欠きを設け、さらに上記アームの上記切欠きに上記スライダの嵌入終了にともなう上記スタンドの起立維持のためのストッパ手段を設け、また上記切欠きからスライダの脱出を阻止し、かつ人手により前記阻止を解除することができるようなロック手段を上記アームに設けた構成を採用する。
【発明の効果】
【００１１】
以上のように、この発明のリターンローラによれば、何らかの影響によりリターンローラのスムーズな回転が阻害されて交換が必要な場合が生じると、まず人手によりロック手段のロックを解除したのち、支承手段を支点としてガイドレールと共にスライダをベルトの長手方向に揺動させることで、切欠きからスライダの末端を脱出することができて、アームに対するスライダの末端衝突を回避することができると共に、ガイドレールの旋回揺動で交換作業がスムーズになる。
【００１２】
また、ガイドレールを中心にしてスタンドを倒れ方向に回動させて、下方にリターンローラを降下させることができるので、リターンローラとアームの衝突を回避して、容易にスライダの引き抜きが可能になる。
【００１３】
このため、ガイドレールからスライダを引き抜いてリターンローラを回収することができる。
【００１４】
回収したリターンローラは、スタンドから取り外して、スタンドに新しい（交換）リターンローラをセットし、又は事前作業としてリターンローラのセット済み予備スライダをガイドレールに嵌装したのち、ガイドレールと共にスライダをベルトの長手方向に揺動させながら、切欠きにスライダの末端を嵌め込み、その後にロック手段によりロックしてスタンドの起立状態を維持することができると共に、作業の迅速化が可能になる。
【００１５】
勿論、スタンドの起立時にストッパ手段によりスタンドの起立状態をはかることができる。
【図面の簡単な説明】
【００１６】
【図１】この発明の実施形態を示す一部縦断正面図である。
【図２】ガイドレールの支承手段を示す縦断拡大正面図である。
【図３】同上の縦断側面図である。
【図４】ガイドレールとスライダとを示す拡大正面図である。
【図５】同上の作用を示す一部切欠平面図である。
【図６】ロック手段を示す一部切欠拡大平面図である。
【図７】同上の側面図である。
【図８】リターンローラの取り外しを示す拡大側面図である。
【図９】同拡大側面図である。
【発明を実施するための形態】
【００１７】
次に、この発明の実施形態を添付図面に基づいて説明する。
図１に示すベルトコンベヤＡは、周知のようにヘッドプーリとテールプーリ（いずれも図示省略）とに無端状のベルトａをかけ渡して形成され、キャリヤ側ベルトａの裏面は、前後に所定の間隔を存して配置したトラフ形のキャリアローラ１で支承してある。
【００１８】
また、リターン側ベルトａの下側には、前後に所定の間隔を存して多数列ベルトａを横切るようにガイドレール２が配置されると共に、コンベヤフレーム３の一側にガイドレール２の一端をベルトａの長手方向にガイドレール２が揺動するように支承手段Ｂを介し支承してある。
【００１９】
上記の支承手段Ｂは、コンベヤフレーム３から下方に突出するアーム１７にベルトａの長手方向に両端が向く長孔４を設けて、この長孔４に挿入したガイドレール２の先端と外周面とを固着した筒体５と、この筒体５の上下端を抱き込むようにアーム１７から突出する突片６と、上側突片６の透孔７から筒体５に挿入して、下側突片６の透孔７に貫通するピン８とで構成し、長孔４の両端間の範囲でガイドレール２が前後方向に（ベルトａの長手方向に）揺動するように支承したが、限定されず、上記目的を達成するその他の構成を採用してもよい。
なお、ガイドレール２にパイプを用いたが軸材であってもよい。
【００２０】
さらに、ガイドレール２に筒状のスライダ９を抜き差し自在に嵌装すると共に、このスライダ９の先端と末端部とに上方に向け起立するスタンド１０を設けて、この両スタンド１０の上端にリターンローラ１１の中心に挿入してある支軸１２に両端を着脱自在に支持させてある。
【００２１】
上記支軸１２の支持は、周知のように（図２で示す）、スタンド１０の上端から下方に向くＵ字状の欠除部１３に支軸１２の端の外周に設けてある溝１４を落とし込みにより嵌め込み係合させて、スタンド１０に対しリターンローラ１１が交換できるようになっている。
【００２２】
なお、図中１５は支軸１２の上方への脱出を阻止する押さえ片である。１６はベルトａの走行方向にスタンド１０が倒れるのを阻止するストッパ手段である。
【００２３】
また、アーム１７に対向するようにコンベヤフレーム３の他側から下方に突出するアーム２０を設けて、このアーム２０の下部一側縁から他側方向（ベルトａの長手方向に向く）にスライダ９の末端部を嵌入して保持するＵ字状の切欠き２１を設ける（この切欠き２１の内端縁は、ベルトａの走行方向側に位置して、コンベヤＡの運転にともないベルトａの走行によって切欠き２１からスライダ９の脱出を阻止する）。
【００２４】
なお、アーム２０には、スタンド１０がベルトａの走行方向に倒れるのを阻止するストッパ手段１６が設けてある。
【００２５】
さらに、アーム２０には、切欠き２１からスライダ９の脱出を阻止するようにロックされ、このロックを人手により解除することができるようなロック手段Ｃが設けてある。
【００２６】
上記のロック手段Ｃは、図示の場合アーム２０側スタンド１０の外側に末端をスライダ９に支持させた板状体３１と、この板状体３１の先端外側面から突出するように設けた把持杆３２と、板状体３１の中間に常にアーム２０の外側面に向け突出力（図示省略のバネによる）を付与し、かつ末端の撮み３３により引き戻すことができるように設けたピン３４と、板状体３１を起立させた際にピン３４が嵌入するようにアーム２０に設けた透孔３５とで構成され、撮み３３を把持してピン３４を引き戻しながら、透孔３５からピン３４を脱出させることでアーム２０に対する板状体３１のロックが解除され、その結果把持杆３２により図７から図８に示すように板状体３１を倒れ方向に傾倒させることができる。
【００２７】
すると、切欠き２１からスライダ９を脱出させることができる。
勿論、ロック手段Ｃは上記の構成に限定されず、目的を達成するその他の構成であってもよい。
【００２８】
上記のように構成することで、リターンローラ１１の交換に際し、まずロック手段Ｃによるロックを解除することで、アーム２０に対する板状体３１のロックが解除される。
【００２９】
次に倒れ方向に板状体３１を傾動させたのち、切欠き２１からスライダ９の端を図８から図９に示すように脱出させることで、ガイドレール２からスライダ９を図４，５に示すように引き抜きながらリターンローラ１１を回収する。
【００３０】
次いで、スタンド１０に新しいリターンローラ１１をセットするか、予備（交換用）のリターンローラ１１を有するスライダ９をガイドレール２に嵌装しながら、まず切欠き２１にスライダ９を嵌め込み、然るのちロック手段Ｃによりアーム２０に板状体３１を傾倒しないようにロックする。
【符号の説明】
【００３１】
Ａ  ベルトコンベヤ
ａ  ベルト
Ｂ  支承手段
Ｃ  ロック手段
１  キャリヤローラ
２  ガイドレール
３  コンベヤフレーム
４  長孔
５  筒体
６  突片
７  透孔
８  ピン
９  スライダ
１０  スタンド
１１  リターンローラ
１２  支軸
１３  欠除部
１４  溝
１５  押さえ片
１６  ストッパ手段
１７  アーム
２０  アーム
２１  切欠き
３１  板状体
３２  把持杆
３３  撮み
３４  ピン
３５  透孔
【図１】
2015147639.tif 000003
【図２】
2015147639.tif 000004
【図３】
2015147639.tif 000005
【図４】
2015147639.tif 000006
【図５】
2015147639.tif 000007
【図６】
2015147639.tif 000008
【図７】
2015147639.tif 000009
【図８】
2015147639.tif 000010
【図９】
2015147639.tif 000011